(57)【要約】【課題】無線ＬＡＮネットワークにおいて高速ローミングを実現する。【解決手段】複数の無線ＬＡＮアクセスポイントと、当該無線ＬＡＮアクセスポイントと接続される無線ＬＡＮクライアントと、を有する無線ＬＡＮシステムにおいて、前記無線ＬＡＮアクセスポイントは同一のローカルエリアネットワーク上に存在する無線ＬＡＮアクセスポイントであって同一のＥＳＳＩＤに設定されている無線ＬＡＮアクセスポイントの使用チャンネル及びＢＳＳＩＤを同一ネットワークの無線ＬＡＮアクセスポイント情報として認識しデータとして保持し、前記無線ＬＡＮクライアントは前記接続を行う際に前記無線ＬＡＮアクセスポイント情報を利用する。【選択図】図１
2011004225.tif 000002
【特許請求の範囲】
【請求項１】
複数の無線ＬＡＮアクセスポイントと、当該無線ＬＡＮアクセスポイントと接続される無線ＬＡＮクライアントと、を有する無線ＬＡＮシステムにおける接続方法において、
前記無線ＬＡＮアクセスポイントは同一のローカルエリアネットワーク上に存在する無線ＬＡＮアクセスポイントであって同一のＥＳＳＩＤに設定されている無線ＬＡＮアクセスポイントの使用チャンネル及びＢＳＳＩＤを同一ネットワークの無線ＬＡＮアクセスポイント情報として認識しデータとして保持し、前記無線ＬＡＮクライアントは前記接続を行う際に前記無線ＬＡＮアクセスポイント情報を利用することを特徴とする接続方法。
【請求項２】
前記無線ＬＡＮアクセスポイントは、前記無線ＬＡＮクライアントと接続された際に、自らが保持している前記無線ＬＡＮアクセスポイント情報を無線ＬＡＮクライアントに受け渡すことを特徴とする請求項１に記載の接続方法。
【請求項３】
前記無線ＬＡＮクライアントは最初に前記無線ＬＡＮアクセスポイントに接続を試みる際は前記ローカルエリアネットワーク上に存在する前記無線ＬＡＮアクセスポイントの全チャンネルをスキャンし、当該スキャンをした中から最良の条件の無線ＬＡＮアクセスポイントを選択し接続し、前記無線ＬＡＮクライアントが前記無線ＬＡＮアクセスポイントと圏外から再接続を試みる際、或いは、ローミングする際には、前記受け取った無線ＬＡＮアクセスポイント情報を基に、最低限のチャンネルをスキャンし、当該スキャンをしたチャンネルの中から最良の無線ＬＡＮアクセスポイントを選択し接続することを特徴とする請求項１又は２に記載の接続方法。
【請求項４】
前記最低限のチャンネルのスキャンは、前記無線ＬＡＮクライアントが、前記無線ＬＡＮアクセスポイント情報の中から自分の接続可能なＥＳＳＩＤを持つ無線ＬＡＮアクセスポイントのチャンネルを抽出し、当該抽出したチャンネルのみを前記最低限のチャンネルと判断することにより行われることを特徴とする請求項１乃至３の何れか１項に記載の接続方法。
【請求項５】
複数の無線ＬＡＮアクセスポイントと接続される無線ＬＡＮクライアントが行う接続方法であって、
前記無線ＬＡＮアクセスポイントに最初に接続を試みる際は前記ローカルエリアネットワーク上に存在する前記無線ＬＡＮアクセスポイントの全チャンネルをスキャンし、当該スキャンをした中から最良の条件の無線ＬＡＮアクセスポイントを選択し接続し、接続された際に前記無線ＬＡＮアクセスポイントから、当該無線ＬＡＮアクセスポイントと同一のローカルエリアネットワーク上に存在する無線ＬＡＮアクセスポイントであって同一のＥＳＳＩＤに設定されている無線ＬＡＮアクセスポイントの使用チャンネル及びＢＳＳＩＤを同一ネットワークの無線ＬＡＮアクセスポイント情報として受け取り、前記無線ＬＡＮクライアントが前記無線ＬＡＮアクセスポイントと圏外から再接続を試みる際、或いは、ローミングする際には、前記受け取った無線ＬＡＮアクセスポイント情報を基に、最低限のチャンネルをスキャンし、その中から最良の無線ＬＡＮアクセスポイントを選択し接続することを特徴とする接続方法。
【請求項６】
複数の無線ＬＡＮアクセスポイントと、当該無線ＬＡＮアクセスポイントと接続される無線ＬＡＮクライアントと、を有する無線ＬＡＮ接続システムにおいて、
前記無線ＬＡＮアクセスポイントは同一のローカルエリアネットワーク上に存在する無線ＬＡＮアクセスポイントであって同一のＥＳＳＩＤに設定されている無線ＬＡＮアクセスポイントの使用チャンネル及びＢＳＳＩＤを同一ネットワークの無線ＬＡＮアクセスポイント情報として認識しデータとして保持し、前記無線ＬＡＮクライアントは前記接続を行う際に前記無線ＬＡＮアクセスポイント情報を利用することを特徴とする接続システム。
【請求項７】
前記無線ＬＡＮアクセスポイントは、前記無線ＬＡＮクライアントと接続された際に、自らが保持している前記無線ＬＡＮアクセスポイント情報を無線ＬＡＮクライアントに受け渡すことを特徴とする請求項６に記載の接続システム。
【請求項８】
前記無線ＬＡＮクライアントは最初に前記無線ＬＡＮアクセスポイントに接続を試みる際は前記ローカルエリアネットワーク上に存在する前記無線ＬＡＮアクセスポイントの全チャンネルをスキャンし、当該スキャンをした中から最良の条件の無線ＬＡＮアクセスポイントを選択し接続し、前記無線ＬＡＮクライアントが前記無線ＬＡＮアクセスポイントと圏外から再接続を試みる際、或いは、ローミングする際には、前記受け取った無線ＬＡＮアクセスポイント情報を基に、最低限のチャンネルをスキャンし、当該スキャンをしたチャンネルの中から最良の無線ＬＡＮアクセスポイントを選択し接続することを特徴とする請求項６又は７に記載の接続システム。
【請求項９】
前記最低限のチャンネルのスキャンは、前記無線ＬＡＮクライアントが、前記無線ＬＡＮアクセスポイント情報の中から自分の接続可能なＥＳＳＩＤを持つ無線ＬＡＮアクセスポイントのチャンネルを抽出し、当該抽出したチャンネルのみを前記最低限のチャンネルと判断することにより行われることを特徴とする請求項６乃至８の何れか１項に記載の接続システム。
【請求項１０】
複数の無線ＬＡＮアクセスポイントと接続される無線ＬＡＮクライアントにおいて、
前記無線ＬＡＮアクセスポイントに最初に接続を試みる際は前記ローカルエリアネットワーク上に存在する前記無線ＬＡＮアクセスポイントの全チャンネルをスキャンし、当該スキャンをした中から最良の条件の無線ＬＡＮアクセスポイントを選択し接続し、接続された際に前記無線ＬＡＮアクセスポイントから、当該無線ＬＡＮアクセスポイントと同一のローカルエリアネットワーク上に存在する無線ＬＡＮアクセスポイントであって同一のＥＳＳＩＤに設定されている無線ＬＡＮアクセスポイントの使用チャンネル及びＢＳＳＩＤを同一ネットワークの無線ＬＡＮアクセスポイント情報として受け取り、前記無線ＬＡＮクライアントが前記無線ＬＡＮアクセスポイントと圏外から再接続を試みる際、或いは、ローミングする際には、前記受け取った無線ＬＡＮアクセスポイント情報を基に、最低限のチャンネルをスキャンし、その中から最良の無線ＬＡＮアクセスポイントを選択し接続することを特徴とする無線ＬＡＮクライアント。
【請求項１１】
複数の無線ＬＡＮアクセスポイントと、当該無線ＬＡＮアクセスポイントと接続される無線ＬＡＮクライアントと、を有するシステムに搭載される無線ＬＡＮ接続プログラムにおいて、
前記無線ＬＡＮアクセスポイントは同一のローカルエリアネットワーク上に存在する無線ＬＡＮアクセスポイントであって同一のＥＳＳＩＤに設定されている無線ＬＡＮアクセスポイントの使用チャンネル及びＢＳＳＩＤを同一ネットワークの無線ＬＡＮアクセスポイント情報として認識しデータとして保持し、前記無線ＬＡＮクライアントは前記接続を行う際に前記無線ＬＡＮアクセスポイント情報を利用するシステムとしてコンピュータを機能させることを特徴とする接続プログラム。
【請求項１２】
前記無線ＬＡＮアクセスポイントは、前記無線ＬＡＮクライアントと接続された際に、自らが保持している前記無線ＬＡＮアクセスポイント情報を無線ＬＡＮクライアントに受け渡すことを特徴とする請求項１１に記載の接続プログラム。
【請求項１３】
前記無線ＬＡＮクライアントは最初に前記無線ＬＡＮアクセスポイントに接続を試みる際は前記ローカルエリアネットワーク上に存在する前記無線ＬＡＮアクセスポイントの全チャンネルをスキャンし、当該スキャンをした中から最良の条件の無線ＬＡＮアクセスポイントを選択し接続し、前記無線ＬＡＮクライアントが前記無線ＬＡＮアクセスポイントと圏外から再接続を試みる際、或いは、ローミングする際には、前記受け取った無線ＬＡＮアクセスポイント情報を基に、最低限のチャンネルをスキャンし、当該スキャンをしたチャンネルの中から最良の無線ＬＡＮアクセスポイントを選択し接続することを特徴とする請求項１１又は１２に記載の接続プログラム。
【請求項１４】
前記最低限のチャンネルのスキャンは、前記無線ＬＡＮクライアントが、前記無線ＬＡＮアクセスポイント情報の中から自分の接続可能なＥＳＳＩＤを持つ無線ＬＡＮアクセスポイントのチャンネルを抽出し、当該抽出したチャンネルのみを前記最低限のチャンネルと判断することにより行われることを特徴とする請求項１１乃至１３の何れか１項に記載の接続プログラム。
【請求項１５】
複数の無線ＬＡＮアクセスポイントと接続される無線ＬＡＮクライアントに搭載される接続プログラムにおいて、
前記無線ＬＡＮアクセスポイントに最初に接続を試みる際は前記ローカルエリアネットワーク上に存在する前記無線ＬＡＮアクセスポイントの全チャンネルをスキャンし、当該スキャンをした中から最良の条件の無線ＬＡＮアクセスポイントを選択し接続し、接続された際に前記無線ＬＡＮアクセスポイントから、当該無線ＬＡＮアクセスポイントと同一のローカルエリアネットワーク上に存在する無線ＬＡＮアクセスポイントであって同一のＥＳＳＩＤに設定されている無線ＬＡＮアクセスポイントの使用チャンネル及びＢＳＳＩＤを同一ネットワークの無線ＬＡＮアクセスポイント情報として受け取り、前記無線ＬＡＮクライアントが前記無線ＬＡＮアクセスポイントと圏外から再接続を試みる際、或いは、ローミングする際には、前記受け取った無線ＬＡＮアクセスポイント情報を基に、最低限のチャンネルをスキャンし、その中から最良の無線ＬＡＮアクセスポイントを選択し接続する無線ＬＡＮクライアントとしてコンピュータを機能させることを特徴とする接続プログラム。
【発明の詳細な説明】
【技術分野】
【０００１】
本発明は、無線ＬＡＮに関し、より詳細には無線ＬＡＮのローミング又は再接続に関する。
【背景技術】
【０００２】
近年無線ＬＡＮの機器の低価格化等の影響もあり、無線ＬＡＮが一般に広く普及している。また、無線ＬＡＮを構築する際に１つのローカルエリアネットワーク内に多数の無線ＬＡＮアクセスポイントを敷設するといったことも一般的に行われている。
【０００３】
このような環境下において無線ＬＡＮクライアントは、１つのローカルエリアネットワーク内の全ての無線ＬＡＮアクセスポイントを対象として、接続可能な無線ＬＡＮアクセスポイントを検索する。
【０００４】
そして、無線ＬＡＮクライアントは、検索の結果に基づいて最良と判断した無線ＬＡＮアクセスポイントに対して接続動作をする（例えば特許文献１参照）。
【先行技術文献】
【特許文献】
【０００５】
【特許文献１】特開２００９−８８９２０号公報
【発明の概要】
【発明が解決しようとする課題】
【０００６】
しかし、上述したような接続方法には問題点があった。具体的には、無線ＬＡＮクライアントが別の無線ＬＡＮアクセスポイントにローミングする際、或いは、一度接続が切れた後に再接続をする際に、接続可能な無線ＬＡＮアクセスポイントを検索して接続動作をするがこの動作に時間を要するという問題である。
【０００７】
その理由は、たとえばチャンネルが１４チャンネルある場合は、無線ＬＡＮクライアントは無線ＬＡＮアクセスポイントがどのチャンネルに存在するかわからないため１４チャンネルすべてを検索し無線ＬＡＮアクセスポイントを見つけなければならないからである。そのため毎回必ず各チャンネルで無線ＬＡＮアクセスポイント検索を行い、これを１４チャンネル分施してから最良の無線ＬＡＮアクセスポイントを検索する必要があった。したがって従来は｛チャンネル数×１チャンネル当たりの検索時間｝の時間を要していた。
【０００８】
そこで、本発明は無線ＬＡＮネットワークにおいて高速ローミングを実現することが可能な、無線ＬＡＮの高速ローミングシステム、高速ローミング方法及び高速ローミングプログラムを提供することを目的とする。
【課題を解決するための手段】
【０００９】
本発明の第１の観点によれば、複数の無線ＬＡＮアクセスポイントと、当該無線ＬＡＮアクセスポイントと接続される無線ＬＡＮクライアントと、を有する無線ＬＡＮシステムにおける接続方法において、前記無線ＬＡＮアクセスポイントは同一のローカルエリアネットワーク上に存在する無線ＬＡＮアクセスポイントであって同一のＥＳＳＩＤに設定されている無線ＬＡＮアクセスポイントの使用チャンネル及びＢＳＳＩＤを同一ネットワークの無線ＬＡＮアクセスポイント情報として認識しデータとして保持し、前記無線ＬＡＮクライアントは前記接続を行う際に前記無線ＬＡＮアクセスポイント情報を利用することを特徴とする接続方法が提供される。
【００１０】
本発明の第２の観点によれば、複数の無線ＬＡＮアクセスポイントと接続される無線ＬＡＮクライアントが行う接続方法であって、前記無線ＬＡＮアクセスポイントに最初に接続を試みる際は前記ローカルエリアネットワーク上に存在する前記無線ＬＡＮアクセスポイントの全チャンネルをスキャンし、当該スキャンをした中から最良の条件の無線ＬＡＮアクセスポイントを選択し接続し、接続された際に前記無線ＬＡＮアクセスポイントから、当該無線ＬＡＮアクセスポイントと同一のローカルエリアネットワーク上に存在する無線ＬＡＮアクセスポイントであって同一のＥＳＳＩＤに設定されている無線ＬＡＮアクセスポイントの使用チャンネル及びＢＳＳＩＤを同一ネットワークの無線ＬＡＮアクセスポイント情報として受け取り、前記無線ＬＡＮクライアントが前記無線ＬＡＮアクセスポイントと圏外から再接続を試みる際、或いは、ローミングする際には、前記受け取った無線ＬＡＮアクセスポイント情報を基に、最低限のチャンネルをスキャンし、その中から最良の無線ＬＡＮアクセスポイントを選択し接続することを特徴とする接続方法が提供される。
【００１１】
本発明の第３の観点によれば、複数の無線ＬＡＮアクセスポイントと、当該無線ＬＡＮアクセスポイントと接続される無線ＬＡＮクライアントと、を有する無線ＬＡＮ接続システムにおいて、前記無線ＬＡＮアクセスポイントは同一のローカルエリアネットワーク上に存在する無線ＬＡＮアクセスポイントであって同一のＥＳＳＩＤに設定されている無線ＬＡＮアクセスポイントの使用チャンネル及びＢＳＳＩＤを同一ネットワークの無線ＬＡＮアクセスポイント情報として認識しデータとして保持し、前記無線ＬＡＮクライアントは前記接続を行う際に前記無線ＬＡＮアクセスポイント情報を利用することを特徴とする接続システムが提供される。
【００１２】
本発明の第４の観点によれば、複数の無線ＬＡＮアクセスポイントと接続される無線ＬＡＮクライアントにおいて、前記無線ＬＡＮアクセスポイントに最初に接続を試みる際は前記ローカルエリアネットワーク上に存在する前記無線ＬＡＮアクセスポイントの全チャンネルをスキャンし、当該スキャンをした中から最良の条件の無線ＬＡＮアクセスポイントを選択し接続し、接続された際に前記無線ＬＡＮアクセスポイントから、当該無線ＬＡＮアクセスポイントと同一のローカルエリアネットワーク上に存在する無線ＬＡＮアクセスポイントであって同一のＥＳＳＩＤに設定されている無線ＬＡＮアクセスポイントの使用チャンネル及びＢＳＳＩＤを同一ネットワークの無線ＬＡＮアクセスポイント情報として受け取り、前記無線ＬＡＮクライアントが前記無線ＬＡＮアクセスポイントと圏外から再接続を試みる際、或いは、ローミングする際には、前記受け取った無線ＬＡＮアクセスポイント情報を基に、最低限のチャンネルをスキャンし、その中から最良の無線ＬＡＮアクセスポイントを選択し接続することを特徴とする無線ＬＡＮクライアントが提供される。
【００１３】
本発明の第５の観点によれば、複数の無線ＬＡＮアクセスポイントと、当該無線ＬＡＮアクセスポイントと接続される無線ＬＡＮクライアントと、を有するシステムに搭載される無線ＬＡＮ接続プログラムにおいて、前記無線ＬＡＮアクセスポイントは同一のローカルエリアネットワーク上に存在する無線ＬＡＮアクセスポイントであって同一のＥＳＳＩＤに設定されている無線ＬＡＮアクセスポイントの使用チャンネル及びＢＳＳＩＤを同一ネットワークの無線ＬＡＮアクセスポイント情報として認識しデータとして保持し、前記無線ＬＡＮクライアントは前記接続を行う際に前記無線ＬＡＮアクセスポイント情報を利用するシステムとしてコンピュータを機能させることを特徴とする接続プログラムが提供される。
【００１４】
本発明の第６の観点によれば、複数の無線ＬＡＮアクセスポイントと接続される無線ＬＡＮクライアントに搭載される接続プログラムにおいて、前記無線ＬＡＮアクセスポイントに最初に接続を試みる際は前記ローカルエリアネットワーク上に存在する前記無線ＬＡＮアクセスポイントの全チャンネルをスキャンし、当該スキャンをした中から最良の条件の無線ＬＡＮアクセスポイントを選択し接続し、接続された際に前記無線ＬＡＮアクセスポイントから、当該無線ＬＡＮアクセスポイントと同一のローカルエリアネットワーク上に存在する無線ＬＡＮアクセスポイントであって同一のＥＳＳＩＤに設定されている無線ＬＡＮアクセスポイントの使用チャンネル及びＢＳＳＩＤを同一ネットワークの無線ＬＡＮアクセスポイント情報として受け取り、前記無線ＬＡＮクライアントが前記無線ＬＡＮアクセスポイントと圏外から再接続を試みる際、或いは、ローミングする際には、前記受け取った無線ＬＡＮアクセスポイント情報を基に、最低限のチャンネルをスキャンし、その中から最良の無線ＬＡＮアクセスポイントを選択し接続する無線ＬＡＮクライアントとしてコンピュータを機能させることを特徴とする接続プログラムが提供される。
【発明の効果】
【００１５】
本発明によれば、ローミング時又は再接続時の無線ＬＡＮアクセスポイント検索において、｛（検索不要チャンネル数）×（１チャンネル当りの検索時間）｝分の時間を短縮することが可能となることから、ローミング時又は再接続時に要する無線ＬＡＮアクセスポイント検索時間を短縮できる。
【図面の簡単な説明】
【００１６】
【図１】本発明の実施形態における無線ＬＡＮネットワークの基本的構成の例を表す図である。
【図２】本発明の実施形態における各機器の設定の例を表す図である。
【図３】本発明の実施形態における無線ＬＡＮアクセスポイント情報の例を表す図である。
【図４】本発明の実施形態における無線ＬＡＮクライアントの無線ＬＡＮアクセスポイント接続動作を表すフローチャートである。
【発明を実施するための形態】
【００１７】
まず、本発明の実施形態の概略を説明する。本発明の実施形態は、概略、無線ＬＡＮクライアントは無線ＬＡＮアクセスポイント間をローミングする際に最初に無線ＬＡＮアクセスポイントに接続したときに受け取った同一ネットワーク無線ＬＡＮアクセスポイント情報を元に、接続しようとしている無線ＬＡＮネットワークで使用されているチャンネルのみを検索することによって無駄なスキャン時間を短縮するというものである。
【００１８】
次に、本発明の実施の形態について図面を参照して詳細に説明する。
【００１９】
図１は、本発明の実施形態である４つの無線ＬＡＮアクセスポイントと１つの無線ＬＡＮクライアントを有する無線ＬＡＮネットワークについて示す図である。具体的には、本実施形態は、第１の無線ＬＡＮアクセスポイント１１、第２の無線ＬＡＮアクセスポイント１２、第３の無線ＬＡＮアクセスポイント１３、第４の無線ＬＡＮアクセスポイント１４及び無線ＬＡＮクライアント２０を有する。なお、図１に図示されている無線ＬＡＮアクセスポイントは４つであるが、これは本実施形態が適用可能な無線ＬＡＮアクセスポイントの個数を限定するものではない、本実施形態は任意の個数の無線ＬＡＮアクセスポイントを有することが可能である。
【００２０】
第１の無線ＬＡＮアクセスポイント１１〜第４の無線ＬＡＮアクセスポイント１４は同一の有線ＬＡＮ上に接続されており、各機器は図２のように設定してあるものとする。なお、図２及び図３では、各無線ＬＡＮアクセスポイントを「ＡＰ」と表記したうえで符号を付す。同様に、無線ＬＡＮクライアントは、「ＣＬ」と表記したうえで符号を付す。
【００２１】
この例では２．４ＧＨｚ帯を使用しているＩＥＥＥ８０２．１１ｂ無線ＬＡＮ方式でチャンネルは１〜１４チャンネルの１４チャンネルを採用している無線ＬＡＮネットワークであるものとする。なお、上述した無線ＬＡＮアクセスポイントの個数と同様に、本実施形態の採用できる無線ＬＡＮ方式は、これに限定されるものではなく、任意の無線ＬＡＮ方式を採用できる。
【００２２】
第１の無線ＬＡＮアクセスポイント１１と第２の無線ＬＡＮアクセスポイント１２と第３の無線ＬＡＮアクセスポイント１３のＥＳＳＩＤは同一の値の「ｏｆｆｉｃｅ１」に設定されている。一方、第４の無線ＬＡＮアクセスポイント１４のＥＳＳＩＤは「ｏｆｆｉｃｅ２」となっている。また、無線ＬＡＮクライアント２０のＥＳＳＩＤは「ｏｆｆｉｃｅ１」に設定されている。そのため、無線ＬＡＮクライアント２０は第１の無線ＬＡＮアクセスポイント１１と第２の無線ＬＡＮアクセスポイント１２と第３の無線ＬＡＮアクセスポイント１３のいずれかに接続可能であり、第４の無線ＬＡＮアクセスポイント１４の設定は「ｏｆｆｉｃｅ２」であり、ＥＳＳＩＤが異なるため無線ＬＡＮクライアント２０にとっては不要の無線ＬＡＮアクセスポイントとなる。
【００２３】
同一の有線ＬＡＮ上にある第１の無線ＬＡＮアクセスポイント１１〜第４の無線ＬＡＮアクセスポイント１４は定期的に互いのＢＳＳＩＤとＥＳＳＩＤとチャンネルの設定情報を交換し、それぞれが図３のような無線ＬＡＮアクセスポイント情報を保持する。
【００２４】
無線ＬＡＮクライアント２０は最初に無線ＬＡＮアクセスポイントに接続する場合は、一般的な接続方法と同じように全チャンネルの１４チャンネル分のスキャンを行い、その中から最良の電波強度で一致するＥＳＳＩＤの無線ＬＡＮアクセスポイントを見つけ接続する。例えばこのとき最良の無線ＬＡＮアクセスポイントは第１の無線ＬＡＮアクセスポイント１１としたとき、無線ＬＡＮクライアント２０は第１の無線ＬＡＮアクセスポイント１１を選択して第１の無線ＬＡＮアクセスポイント１１に接続する。このとき無線ＬＡＮクライアント２０は第１の無線ＬＡＮアクセスポイント１１から図３のような同一ネットワーク上に存在する無線ＬＡＮアクセスポイントの設定情報である「ＳＹＳＴＥＭ名」と「ＢＳＳＩＤ」と「ＥＳＳＩＤ」と「チャンネル」を無線ＬＡＮアクセスポイント情報として受け取る。なお、図２及び図３では、ＳＹＳＴＥＭ名を「ＳＹＳＴＥＭＮＡＭＥ」と表記する。
【００２５】
無線ＬＡＮクライアント２０は自身の移動などにより第１の無線ＬＡＮアクセスポイント１１の通信エリアから一度外れてからの再接続を行う場合、又は第１の無線ＬＡＮアクセスポイント１１のエリアから移動して別の無線ＬＡＮアクセスポイントにローミングを行う場合には一般的な接続方法と同じような全チャンネルを検索する無線ＬＡＮアクセスポイント検索は行わない。このような場合に無線ＬＡＮクライアント２０は、接続時に第１の無線ＬＡＮアクセスポイント１１から受け取った図３の無線ＬＡＮアクセスポイント情報を元に必要最低限のチャンネルのみ無線ＬＡＮアクセスポイント検索を行い無線ＬＡＮアクセスポイントに再接続又はローミングする。
【００２６】
図３の例では、無線ＬＡＮクライアント２０が接続可能な無線ＬＡＮアクセスポイントはＥＳＳＩＤが一致する第１の無線ＬＡＮアクセスポイント１１と第２の無線ＬＡＮアクセスポイント１２と第３の無線ＬＡＮアクセスポイント１３のみであり、第４の無線ＬＡＮアクセスポイント１４は接続できない。したがって無線ＬＡＮクライアント２０は第１の無線ＬＡＮアクセスポイント１１と第２の無線ＬＡＮアクセスポイント１２と第３の無線ＬＡＮアクセスポイント１３がそれぞれ設定してある１チャンネルと４チャンネルと７チャンネルの３チャンネル分の無線ＬＡＮアクセスポイント検索を実施すれば接続可能な無線ＬＡＮアクセスポイントの全てを検索できることとなる。このため再接続又はローミング時の無線ＬＡＮアクセスポイント検索時間は３チャンネル分での無線ＬＡＮアクセスポイント検索で済むこととなる。
【００２７】
したがって従来は１４チャンネル分の無線ＬＡＮアクセスポイント検索が必要であったところ、本システムでは３チャンネル分の無線ＬＡＮアクセスポイント検索でよいため、総無線ＬＡＮアクセスポイント検索時間は従来と比べると３／１４（１４分の３）と短縮可能となる。
【００２８】
［動作の説明］
次に図４のフローチャートを用いて無線ＬＡＮクライアントの無線ＬＡＮアクセスポイントへの初回接続並びに再接続若しくはローミング時の接続動作を説明する。
【００２９】
無線ＬＡＮクライアントは最初に無線ＬＡＮアクセスポイントへの接続判断を行う（ステップＳ３０）。
【００３０】
初回起動後は切断状態であり接続が必要であるため（ステップＳ３０においてＹｅｓ）、ステップＳ３１に遷移し無線ＬＡＮアクセスポイント接続を開始する（ステップＳ３１）。
【００３１】
次に無線ＬＡＮアクセスポイント情報の有無の確認をする（ステップＳ３２）。
【００３２】
初回接続時は無線ＬＡＮアクセスポイント情報が無いため（ステップＳ３２においてＮｏ）、ステップＳ３３に遷移しすべてのチャンネルにおいて無線ＬＡＮアクセスポイント検索を実施する（ステップＳ３３）。続いて、検索した無線ＬＡＮアクセスポイントの中から最良の無線ＬＡＮアクセスポイントを見つけその無線ＬＡＮアクセスポイントへの接続を行う（ステップＳ３４）。
【００３３】
次に、ステップＳ３５で接続した無線ＬＡＮアクセスポイントから無線ＬＡＮアクセスポイント情報を受け取る。その後ステップＳ３０に戻る。
【００３４】
何れかの無線ＬＡＮアクセスポイントに接続してからは無線ＬＡＮアクセスポイントとの接続状態を監視し（ステップＳ３０においてＮｏ）、電波強度が弱くなったり、電波が受信できなくなったりした場合は（ステップＳ３０においてＹｅｓ）、無線ＬＡＮアクセスポイントへの再接続又は別の無線ＬＡＮアクセスポイントへのローミングが必要と判断しステップＳ３１へ遷移し無線ＬＡＮアクセスポイント接続を開始する。
【００３５】
ここでは一度無線ＬＡＮアクセスポイントに接続しており無線ＬＡＮアクセスポイント情報を保持しているので（ステップＳ３２においてＹｅｓ）、ステップＳ３６に遷移し、無線ＬＡＮアクセスポイント情報の中から自分の接続可能なＥＳＳＩＤを持つ無線ＬＡＮアクセスポイントのチャンネルを抽出する（ステップＳ３６）。
【００３６】
その後、抽出したチャンネルでのみ無線ＬＡＮアクセスポイント検索を行い（ステップＳ３７）、その中から最良の無線ＬＡＮアクセスポイントを見つけ接続を行う（ステップＳ３７、ステップＳ３８）。
【００３７】
無線ＬＡＮアクセスポイントへの接続を終了後、最新の無線ＬＡＮアクセスポイント情報を入手して（ステップＳ３９）、ステップＳ３０に戻る。
【００３８】
このような接続動作を行うことにより不要なチャンネルの検索を省くことで高速ローミングを可能としている。
【００３９】
本発明の実施形態は、ローミング時又は再接続時に要する無線ＬＡＮアクセスポイント検索時間を短縮できるという効果を奏する。
【００４０】
その理由は、ローミング時又は再接続時の無線ＬＡＮアクセスポイント検索において、｛（検索不要チャンネル数）×（１チャンネル当りの検索時間）｝分の時間を短縮することが可能となるからである。
【００４１】
また、これにより無線ＬＡＮを使用したＩＰ電話端末において従来はローミングに時間がかかっていたため移動にローミングが発生すると音声が途切れてしまうことがあったが、このような音切れを最小限にとどめることが可能となる。
【００４２】
なお、本発明の実施形態である無線ＬＡＮの高速ローミングシステムは、ハードウェアにより実現することもできるが、コンピュータをその無線ＬＡＮの高速ローミングシステムとして機能させるためのプログラムをコンピュータがコンピュータ読み取り可能な記録媒体から読み込んで実行することによっても実現することができる。
【００４３】
また、本発明の実施形態による無線ＬＡＮの高速ローミング方法は、ハードウェアにより実現することもできるが、コンピュータにその方法を実行させるためのプログラムをコンピュータがコンピュータ読み取り可能な記録媒体から読み込んで実行することによっても実現することができる。
【００４４】
また、上述した実施形態は、本発明の好適な実施形態ではあるが、上記実施形態のみに本発明の範囲を限定するものではなく、本発明の要旨を逸脱しない範囲において種々の変更を施した形態での実施が可能である。
【符号の説明】
【００４５】
１１  第１の無線ＬＡＮアクセスポイント
１２  第２の無線ＬＡＮアクセスポイント
１３  第３の無線ＬＡＮアクセスポイント
１４  第４の無線ＬＡＮアクセスポイント
２０  無線ＬＡＮクライアント
【図１】
2011004225.tif 000003
【図２】
2011004225.tif 000004
【図３】
2011004225.tif 000005
【図４】
2011004225.tif 000006